(57)【特許請求の範囲】
【請求項１】
前部に撮影光学系を含む撮像部を有するとともに、該撮像部で撮影した被写体像を直接目で見ることができる後部に突出したビューファインダー部を有するビデオカメラ本体と、前記ビデオカメラ本体の上部に該ビデオカメラ本体の前後方向に延在して設けられた持ち運び兼用のハンドルを備えるカメラ一体型ビデオレコーダにおいて、
前記ハンドルの前端に該前端から前方に突出する支持部が設けられ、
前記撮像部の正面から見た前記支持部の左右方向のいずれか一方の側面に、オーディオラインやマイク等の接続用差し込み具が接続されるコネクタが設けられ、
前記コネクタはＸＬＲ型のコネクタであって２個以上設けられ、これらコネクタは前後方向に並設され、
前記支持部およびコネクタは前記撮像部の上方に位置され、
前記コネクタの上方であって前記コネクタより外側の位置に、前記支持部に該支持部の上面から前記コネクタの突出方向に延在する取付部材を介してマイクホルダーが設けられ、
前記接続用差し込み具が差し込まれる前記コネクタの差込口端面が斜め下方を向くように固定して設けられ、
前記支持部の他方の側面にオーディオラインやマイクの信号レベルを調節するレベル操作部が設けられた
ことを特徴とするカメラ一体型ビデオレコーダ。
【請求項２】
前記ビデオカメラ本体の一方の側面に、前記撮像部で撮影された被写体画像及び該被写体画像に関係する音声を記録媒体に記録するとともに該記録媒体の記録情報を再生するデッキ部が設けられている
ことを特徴とする請求項１記載のカメラ一体型ビデオレコーダ。
【請求項３】
前記ビデオカメラ本体の一方の側面に、前記撮像部で撮影された被写体画像及び該被写体画像に関係する音声を記録媒体に記録するとともに該記録媒体の記録情報を再生するデッキ部が設けられ、前記ビデオカメラ本体の他方の側面に、前記撮像部で撮影された映像または前記デッキ部で再生された映像を表示する表示部が収納可能に設けられている
ことを特徴とする請求項１記載のカメラ一体型ビデオレコーダ。
【請求項４】
前記ビデオカメラ本体の他方の側面に把持用バンドが設けられている
ことを特徴とする請求項１記載のカメラ一体型ビデオレコーダ。
【発明の詳細な説明】
【０００１】
【発明の属する技術分野】
本発明は、被写体のビデオ撮影を行うカメラと、このカメラで撮影されたビデオ信号を記録するビデオレコーダとを一体化したハンディタイプの小型カメラ一体型ビデオレコーダ（カムコーダ）に関し、さらに詳しくは、オーディオのライン入力やマイク入力用のコネクタ（ＸＬＲ型のコネクタ）を有するカメラ一体型ビデオレコーダに関するものである。
【０００２】
【従来の技術】
オーディオのライン入力やマイク入力用のＸＬＲ型のコネクタは、一般に肩に載せるタイプの大型カメラ一体型ビデオレコーダに用いられている。
しかるに、近年ではカメラ一体型ビデオレコーダの小型化、高性能化が可能になり、これに伴いハンディタイプの小型カメラ一体型ビデオレコーダが出現し、この小型カメラ一体型ビデオレコーダにも遠くの音声を正確にピックアップできる高性能マイクが接続可能なＸＬＲコネクタの搭載が望まれるようになってきている。
【０００３】
【発明が解決しようとする課題】
ところで、高性能マイク等の接続に用いられる標準的なＸＬＲコネクタは、その体積が大きいため、オーディオのライン入力やマイク入力用として２個以上のＸＬＲコネクタを取り付けるようにすると、コネクタ全体のボリュームが非常に大きくなり、しかも、このコネクタに接続されるオーディオライン用やマイク用のピンジャック及びケーブルが邪魔になって、ハンディタイプの小型カメラ一体型ビデオレコーダには不向きとなる。
また、ＸＬＲコネクタを小型カメラ一体型ビデオレコーダに合わせて新たに設計し作成することも考えられるが、これでは、接続可能なマイクの種類が限定されてしまうという不具合があった。
【０００４】
本発明は上記のような点に鑑みなされたもので、本発明の目的は、ハンディタイプの小型カメラ一体型ビデオレコーダであっても、操作性を妨げることなく、標準的なコネクタ（ＸＬＲコネクタ）を複数個容易に搭載することができ、かつマイクやアクセサリーの取り付けスペースを容易に確保できるカメラ一体型ビデオレコーダを提供することにある。
【０００５】
【課題を解決するための手段】
上記の目的を達成するために本発明は、前部に撮影光学系を含む撮像部を有するとともに、該撮像部で撮影した被写体像を直接目で見ることができる後部に突出したビューファインダー部を有するビデオカメラ本体と、前記ビデオカメラ本体の上部に該ビデオカメラ本体の前後方向に延在して設けられた持ち運び兼用のハンドルを備えるカメラ一体型ビデオレコーダにおいて、前記ハンドルの前端に該前端から前方に突出する支持部が設けられ、前記撮像部の正面から見た前記支持部の左右方向のいずれか一方の側面に、オーディオラインやマイク等の接続用差し込み具が接続されるコネクタが設けられ、前記コネクタはＸＬＲ型のコネクタであって２個以上設けられ、これらコネクタは前後方向に並設され、前記支持部およびコネクタは前記撮像部の上方に位置され、前記コネクタの上方であって前記コネクタより外側の位置に、前記支持部に該支持部の上面から前記コネクタの突出方向に延在する取付部材を介してマイクホルダーが設けられ、前記接続用差し込み具が差し込まれる前記コネクタの差込口端面が斜め下方を向くように固定して設けられ、前記支持部の他方の側面にオーディオラインやマイクの信号レベルを調節するレベル操作部が設けられたことを特徴とする。
【０００６】
本発明においては、ハンドルの前端から前方に突出して設けた支持部の一方の側面に、接続用差し込み具が接続されるコネクタを設けることにより、ハンディタイプの小型カメラ一体型ビデオレコーダにおいて、操作性を妨げることなく、標準的なコネクタを容易に搭載することができ、かつマイク等の取り付けスペースを容易に確保することができる。また、接続用差し込み具が差し込まれるコネクタの差込口端面が斜め下方を向くように設けられていることによって、接続用差し込み具は斜め下方に傾斜された姿勢になるため、接続用差し込み具の上方にマイクホルダーが位置されていても、接続用差し込み具の抜き差し操作にマイクホルダーが邪魔になることがなく、接続用差し込み具をコネクタに対して容易に抜き差しすることができるとともに、マイク等の接続用差し込み具をコネクタに接続しても、そのケーブルが撮影者のカメラ操作に邪魔になることもない。したがって、ハンディタイプの小型カメラ一体型ビデオレコーダであるにもかかわらず一番標準的なコネクタ（ＸＬＲコネクタ）を使用できるので、接続可能なマイクの種類が多くなる。
【０００７】
【発明の実施の形態】
図１ないし図５により本発明にかかるカメラ一体型ビデオレコーダの実施の形態について説明する。
図１の（Ａ）は本発明の実施の形態におけるカメラ一体型ビデオレコーダの正面図、図１の（Ｂ）は同図（Ａ）の矢印Ｂ方向から見たコネクタ（ＸＬＲコネクタ）の正面図、図１の（Ｃ）は同図（Ａ）の矢印Ｃ方向から見たコネクタ（ＸＬＲコネクタ）の平面図、図２は図１（Ａ）の右側から見た右側面図、図３は図１（Ａ）の左側から見た一部の左側面図、図４は図２の矢印Ｄ方向から見たカメラ一体型ビデオレコーダのハンドル及びマイクホルダーの平面図、図５は本発明の実施の形態におけるカメラ一体型ビデオレコーダの説明用正面図である。
【０００８】
図１、図２、図３及び図５において、１２はハンディタイプの小型カメラ一体型ビデオレコーダを構成するビデオカメラ本体であり、このビデオカメラ本体１２の前部には、撮影光学系（撮影レンズ）１４１を含む撮像部１４が設けられ、また、ビデオカメラ本体１２の後部には、図２に示すように、上下方向に傾動できるビューファインダー部１６が設けられている。このビューファインダー部１６は、撮像部１４を通して得られる被写体像を直接目で見ることができる構成になっている。
また、ビデオカメラ本体１２の上部には、ローアングル撮影を可能にする持ち運び兼用のハンドル１８がビデオカメラ本体１２の前後方向に延在して配置されており、このハンドル１８は、その両端の脚部１８１、１８２を介してビデオカメラ本体１２の上面から所定間隔離間して固定されている。
【０００９】
上記ハンドル１８の前端には、この前端から前方に突出する支持部２０が設けられている。これにより、支持部２０は撮像部１４の上方に位置され、かつ撮像部１４の突出方向と平行になっている。
また、撮像部１４の正面から見た支持部２０の左右方向のいずれか一方の側面、すなわち左側の側面には、オーディオラインやマイク等の接続用差し込み具（ＸＬＲタイプのジャック又はＸＬＲタイプのプラグ）２２（図５参照）が差し込まれる２個のコネクタ（ＸＬＲコネクタ）２４が設けられている。この各コネクタ２４はプリント配線板２６上に支持部２０の前後方向に並べて配置され、さらにカバー２７内に収容されている。また、接続用差し込み具２２が差し込まれるコネクタ２４の差込口端面２４１は、図１（Ａ）に示すように斜め下方を向くように支持部２０の側面２０１と平行な面Ｌに対し、すなわちビデオカメラ本体１２の上下を通る鉛直面Ｌに対し所定角度α（約２０度）傾斜されている。
【００１０】
また、支持部２０の他方の側面、すなわち撮像部１４の正面から見た支持部２０の右側の側面には、オーディオラインやマイクの信号レベルを調節するレベル操作部２８が設けられている。
また、支持部２０の上面には、照明灯等が取り付けられるアクセサリー３０が設けられている。
さらに、支持部２０には、支持部２０の上面からコネクタ２４の突出方向に延在する取付部材３２を介してマイクホルダー３４が設けられており、このマイクホルダー３４には、図４に示すようにマイク３６が着脱可能に取り付けられている。また、マイク３６に接続したケーブル３８には、図５に示す接続用差し込み具２２が接続されている。
【００１１】
上記ビデオカメラ本体１２の一方の側面、すなわち撮像部１４の正面から見たビデオカメラ本体１２の左側面には、撮像部１４で撮影された被写体画像及び該被写体画像に関係する音声を記録媒体に記録するとともに記録媒体の記録情報を再生するデッキ部４０が設けられている。
また、ビデオカメラ本体１２の他方の側面、すなわち撮像部１４の正面から見たビデオカメラ本体１２の右側面には、撮像部１４で撮影された映像またはデッキ部４０で再生された映像を表示するカラー液晶表示部４２が収納可能に設けられている。
さらに、ビデオカメラ本体１２の右側面には、ビューファインダー部１６を覗きながら撮影する時に右手を差し込んでビデオカメラ本体１２を把持するグリップ部４４が設けられている。
【００１２】
本実施の形態によれば、ハンドル１８の前端に支持部２０を設け、支持部２０の側面にオーディオラインやマイク等の接続用差し込み具２２が差し込まれるコネクタ２４を設ける構成としたので、オーディオラインやマイク等の複数の接続用差し込み具２２を小型カメラ一体型ビデオレコーダを大型化することなく接続することが可能となる。
また、本実施の形態では、コネクタ２４を、その差込口端面２４１が斜め下方を向くように傾斜して設けている。その理由について説明すると、図５において、例えばコネクタ２４を、その差込口端面２４１が支持部２０の側面２０１と平行になる姿勢に設けた場合、このコネクタ２４に差し込まれるマイクの接続用差し込み具２２は図５の仮想線Ｈに示すように支持部２０の側面２０１に対して直角となる。その結果、図５のＨに示す接続用差し込み具２２のコネクタへの抜き差しに際し、上方に位置するマイクホルダー３４が邪魔になって、接続用差し込み具２２の抜き差し操作がしにくくなる。
また、コネクタ２４を、その差込口端面２４１が真下を向くように支持部２０に設けた場合、このコネクタ２４に差し込まれるマイクの接続用差し込み具２２は図５の仮想線Ｊに示すように垂下された状態となる。その結果、図５のＪに示す接続用差し込み具２２の下端は撮像部１４の外周に近接し、撮像部１４のフォーカス用リング等を回転操作する時に指が接続用差し込み具２２やケーブルに接触してフォーカス用リング等の操作に支障を来すことになる。
【００１３】
そこで、本実施の形態においては、図１（Ａ）に示すように、コネクタ２４の差込口端面２４１が斜め下方を向くように支持部２０の側面２０１と平行な面Ｌに対し所定角度α（約２０度）傾斜する構成にすることにより、コネクタ２４にマイクの接続用差し込み具２２を差し込んだ場合、接続用差し込み具２２は図５の実線Ｇに示すように斜め下方に傾斜された姿勢になる。その結果、上述した問題を解決できる。
【００１４】
すなわち、接続用差し込み具２２の上方にマイクホルダー３４が位置されていても、接続用差し込み具２２の抜き差し操作にマイクホルダー３４が邪魔になることがなく、接続用差し込み具２２をコネクタ２４に対して容易に抜き差しすることができるとともに、マイクの接続用差し込み具２２をコネクタ２４に接続しても、そのケーブルが撮影者のカメラ操作に邪魔になることもない。また、接続用差し込み具２２が図５の実線Ｇに示す接続姿勢にある場合、この接続用差し込み具２２は撮像部１４の外周から大きく離間しているため、撮像部１４のフォーカス用リング等を回転操作する時に指が接続用差し込み具２２やケーブルに接触することがなく、フォーカス用リング等の操作性を妨げることがない。
また、図５の仮想線Ｉに示す接続用差し込み具２２は、コネクタ２４の差込口端面２４１が斜め下方を向く傾斜角度を実線Ｇに示す場合の角度α（約２０度）より大きい、例えば、約４５度の角度でコネクタ２４に対し抜き差しできるようにコネクタ２４の差込口端面２４１を傾斜したものである。この場合も上記と同様な作用効果を発揮できる。
すなわち、接続用差し込み具２２が図５の実線Ｇから仮想線Ｉの間に位置されていれば、上記と同様な作用効果が得られることになる。
【００１５】
したがって、本実施の形態によれば、ハンディタイプの小型カメラ一体型ビデオレコーダにかかわらず一番標準的なコネクタ（ＸＬＲコネクタ）を使用できるので、接続可能なマイクの種類が多くなるという利点がある。
また、ハンドル１８の前端に設けた支持部２０の側面に２個ないしそれ以上のコネクタ２４が設けられる構成になっているので、カメラ一体型ビデオレコーダの操作のバリエーションが増えるという利点もあるほか、支持部２０を利用してマイクの取付スペース及びビデオライト等の取付スペースを容易に確保することができる。
【００１６】
なお、上記実施の形態では、支持部２０の側面に２個のコネクタ２４を設けた場合について説明したが、本発明はこれに限定されず、３個以上のコネクタ２４を設けてもよい。
【００１７】
【発明の効果】
以上説明したように本発明によれば、ハンディタイプの小型カメラ一体型ビデオレコーダであっても、大型化することなく、また操作性を妨げることなく、標準的なコネクタ（ＸＬＲコネクタ）を複数個容易に搭載することができ、かつマイク等の取り付けスペースを容易に確保できるほか、標準的なコネクタを使用することにより、接続可能なマイクの種類を多くでき、さらに、コネクタを２個以上設けることで、操作のバリエーションも増大できる。すなわち、接続用差し込み具が差し込まれるコネクタの差込口端面が斜め下方を向くように設けられていることによって、接続用差し込み具は斜め下方に傾斜された姿勢になるため、接続用差し込み具の上方にマイクホルダーが位置されていても、接続用差し込み具の抜き差し操作にマイクホルダーが邪魔になることがなく、接続用差し込み具をコネクタに対して容易に抜き差しすることができるとともに、マイク等の接続用差し込み具をコネクタに接続しても、そのケーブルが撮影者のカメラ操作に邪魔になることもない。したがって、ハンディタイプの小型カメラ一体型ビデオレコーダであるにもかかわらず一番標準的なコネクタ（ＸＬＲコネクタ）を使用できるので、接続可能なマイクの種類が多くなる。
【図面の簡単な説明】
【図１】（Ａ）は本発明の実施の形態におけるカメラ一体型ビデオレコーダの正面図、（Ｂ）は同図（Ａ）の矢印Ｂ方向から見たコネクタの正面図、（Ｃ）は同図（Ａ）の矢印Ｃ方向から見たコネクタの平面図である。
【図２】図１（Ａ）の右側から見た右側面図である。
【図３】図１（Ａ）の左側から見た一部の左側面図である。
【図４】図２の矢印Ｄ方向から見たカメラ一体型ビデオレコーダのハンドル及びマイクホルダーの平面図である。
【図５】本発明の実施の形態におけるカメラ一体型ビデオレコーダの説明用正面図である。
【符号の説明】
１２……ビデオカメラ本体、１４……撮像部、１４１……撮影光学系、１６……ビューファインダー部、１８……ハンドル、２０……支持部、２０１……支持部の側面（支持部の一方の側面）、２２……接続用差し込み具、２４……コネクタ、２４１……差込口端面、２８……レベル操作部、３２……取付部材、３４……マイクホルダー、３６……マイク、４０……デッキ部、４２……カラー液晶表示部（表示部）、４４……グリップ部（把持用バンド）
【図１】
0004251251.tif 000002
【図２】
0004251251.tif 000003
【図３】
0004251251.tif 000004
【図４】
0004251251.tif 000005
【図５】
0004251251.tif 000006